(57)【特許請求の範囲】
【請求項１】
注出口を備えた紙容器において、
前記紙容器は、板紙の表裏に少なくともポリオレフィン系樹脂層が積層されてなり、更に、前記紙容器の傾斜上面を構成する矩形部に開口部を構成するための円形の穴を設け、該円形の穴に、樹脂で形成された注出口が、熱融着され、
前記注出口の内部に引掛部を有する内蓋が一体的に形成され、
そして、前記内蓋を分離することにより形成される前記注出口に着脱自在に取り付けられる、先端に開口を形成しうる錘状のノズルを備え、
前記ノズルは、前記紙容器に充填される液体が注ぎ出され、
前記開口の断面積を大きくするべく、前記ノズルを輪切りにするための目安となる切断誘導部を前記先端に向かって断面積が小さくなるように前記ノズルの外周に備え、
前記切断誘導部を複数設け、
前記開口を覆うキャップを備え、
前記キャップと前記ノズルを連結する連結部を備え、
前記切断誘導部が前記ノズルの取付部に対して傾斜していることを特徴とする紙容器。
【発明の詳細な説明】
【技術分野】
【０００１】
本発明は、注出口を備えた容器に関する。
【背景技術】
【０００２】
従来の容器は、例えば、図７に示すように、内容物として液体の充填された紙容器２１は、矩形の底部Ｂ’と底部Ｂ’の各辺から直立して形成される側部Ｓ’と、向かい合う１組の側部Ｓ’の上方に延設される傾斜部Ｉ３’と傾斜部Ｉ３’の上端に形成される尾根部Ｒ’と、別の向かい合う１組の側部Ｓ’の上方に延設される三角形部Ｉ４ｂ’などから構成される。傾斜部Ｉ３’には、注出するための注出口２２が形成されるとともに、その注出口２２と係合する外蓋２５を備えている。なお、注出口２２の外周には、雄ネジが設けられる一方、外蓋２５の内周には、雌ネジが設けられ、両者を係合することによって注出口２２を外蓋２５で覆うように構成されている。
【０００３】
また、未使用時において、注出口２２内には、一体成形されたシール部を備える。使用時には、外蓋２５を回転させて、外蓋２５を注出口２２から分離させ、シール部の引掛部に指を引っ掛けて注出口２２から分離することで、注出口２２に開口部を形成する。そして、注出口２２より液体を注ぎ出す。注出後には、注出口２２に外蓋２５を係合させて注出口２２を覆う。
【先行技術文献】
【特許文献】
【０００４】
【特許文献１】特開２００８−１６２６７９号公報
【発明の概要】
【発明が解決しようとする課題】
【０００５】
しかし、このように構成された紙容器２１の注出口２２は、少量の液体を注ぎ出したいとき、注出量を調節することが困難であり、不必要に大量の液体を注出してしまうという問題があった。そこでこの発明の目的は、少量の内容物を正確に注出可能な容器を提供することにある。
【課題を解決するための手段】
【０００６】
このため請求項１に記載の発明は、注出口を備えた紙容器において、前記紙容器は、板紙の表裏に少なくともポリオレフィン系樹脂層が積層されてなり、更に、前記紙容器の傾斜上面を構成する矩形部に開口部を構成するための円形の穴を設け、該円形の穴に、樹脂で形成された注出口が、熱融着され、前記注出口の内部に引掛部を有する内蓋が一体的に形成され、そして、前記内蓋を分離することにより形成される前記注出口に着脱自在に取り付けられる、先端に開口を形成しうる錘状のノズルを備え、前記ノズルは、前記紙容器に充填される液体が注ぎ出され、前記開口の断面積を大きくするべく、前記ノズルを輪切りにするための目安となる切断誘導部を前記先端に向かって断面積が小さくなるように前記ノズルの外周に備え、前記切断誘導部を複数設け、前記開口を覆うキャップを備え、前記キャップと前記ノズルを連結する連結部を備え、前記切断誘導部が前記ノズルの取付部に対して傾斜していることを特徴とする。
【発明の効果】
【００１２】
請求項１に記載の発明によれば、注出口を備えた容器において、容器は、板紙の表裏に少なくともポリオレフィン系樹脂層が積層されてなり、注出口に着脱自在に取り付けられる、先端に開口を形成しうる錘状のノズルを備え、ノズルは、容器に充填される液体が注ぎ出されるので、注出量を調節することが容易であり、少量の内容物を正確に注出可能な容器を提供することができる。
【００１３】
請求項２に記載の発明によれば、開口の断面積を大きくするべく、ノズルを輪切りにするための目安となる切断誘導部を先端に向かって断面積が小さくなるようにノズルの外周に備えるので、注出量を調節する注出口を容易に形成可能な容器を提供することができる。
【００１４】
請求項３に記載の発明によれば、切断誘導部を複数設けるので、所望の大きさの注出口を形成可能な容器を提供することができる。
【００１５】
請求項４に記載の発明によれば、開口を覆うキャップを備えるので、開口から異物混入を防止させ、衛生的な容器を提供することができる。
【００１６】
請求項５に記載の発明によれば、キャップとノズルを連結する連結部を備えるので、容易に蓋の遺失防止ができる。
【００１７】
請求項６に記載の発明によれば、開口が斜切りに形成されるので、注出終了時の液垂れなどを防ぎ、より一層注出しやすい容器を提供することができる。
【図面の簡単な説明】
【００１８】
【図１】本発明の紙容器の斜視図である。
【図２】（ａ）は、図１のノズル及びキャップの拡大側面図であり、（ｂ）は、Ａ矢視平面図である。
【図３】紙容器を構成する展開図である。
【図４】（ａ）は、図１のノズルの切断誘導部を切断した拡大側面図であり、（ｂ）は、図４（ａ）で形成された開口にキャップで覆ったときの拡大側面図である。
【図５】図１のノズルを構成する別の形状を示した図であり、（ａ）は、切断誘導部を本体部に対して凸型に形成した拡大側面図、（ｂ）は、切断誘導部を着色させた拡大側面図である。
【図６】図１のノズルの先端を斜切りにした状態の拡大側面図である。
【図７】従来の紙容器の斜視図である。
【発明を実施するための形態】
【００１９】
図１は、本発明の紙容器（容器）１の斜視図を示してある。紙容器１内には、例えば、濃縮飲料を内容物として充填している。紙容器１は、矩形の底部Ｂと底部Ｂの各辺から直立して形成される側部Ｓ１、Ｓ２、Ｓ３、Ｓ４と、向かい合う１組の側部Ｓ１、Ｓ３の上方に延設される傾斜部Ｉ３と傾斜部Ｉ３の上端に形成される尾根部Ｒと、別の向かい合う１組の側部Ｓ２、Ｓ４の上方に延設される三角形部Ｉ４ｂなどから構成される。傾斜部Ｉ３には、濃縮飲料を注出するための注出口２（図２（ａ）参照）が形成されるとともに、その注出口２と係合するノズル４を備えている。なお、製品出荷時、紙容器１の注出口２には、外蓋が係合しており、使用時にこの外蓋を外して注出口２に取り付けるものであり、図１はこの状態を示したものである。また、注出口２の外周には、雄ネジが設けられる一方、ノズル４の内周には、雌ネジが設けられ、両者を係合することによって注出口２をノズル４で覆うように構成されている。
【００２０】
図２（ａ）は、ノズル４の拡大側面図であり、図２（ｂ）は、（ａ）のＡ矢視平面図である。ノズル４は、ノズル本体１２、キャップ５、及び連結部６から構成される。ノズル本体１２は、先端１２ａから後端１２ｂに向かって断面積が大きくなるように錘状に形成され、その間に周辺よりも外径の小さな切断誘導部７を備える。切断誘導部７は、ノズル本体１２の外周に一定間隔に複数設けてある。また、後端１２ｂに連続して取付部８を設ける。更に、ノズル本体１２の略中央には、嵌合部１４を設ける。
【００２１】
取付部８の内周には、注出口２の外周に形成された雄ネジ１６ａと係合させるための雌ネジ１６ｂを形成している。嵌合部１４は、被嵌合部１５と嵌合するように形成される。なお、ノズル本体１２を形成する切断誘導部７、取付部８、嵌合部１４以外に本体部１３を設ける。
【００２２】
なお、図２（ｂ）において、注出口２の側面にある雄ネジ１６ａとノズル本体１２の内周にある雌ネジ１６ｂとで係合したときに、注出口２の上部から内周までを覆い、ノズル本体１２の後端１２ｂの内周から起立した係合補助部１１を設ける。
【００２３】
キャップ５は、ノズル本体１２の先端１２ａ側を覆うものである。なお、キャップ５の連結部６と反対側にはつまみ９を設ける。また、取付部８には、キャップ５を連結させるための連結部６が延設されている。なお、図２（ａ）のノズル４は、樹脂などで一体成形される。
【００２４】
図３は、紙容器１を構成する展開図である。符号Ｐは、包材であり、この包材は不図示の板紙等を支持材とする多層構造を有し、この支持材の表面及び、裏面にポリエチレン樹脂などのポリオレフィン系の樹脂によって板紙の表裏に樹脂層を形成させる。また、この支持材と樹脂層との間にガスバリア性の樹脂、アルミ箔及び蒸着フィルム等からなるバリア層を形成させることもできる。
【００２５】
包材Ｐは、互いに隣接させて形成されたパネルＰ１、パネルＰ２、パネルＰ３、パネルＰ４、及びパネルＰ５から構成される。
【００２６】
パネルＰ１は、紙容器１の側面を構成する矩形部Ｓ１、傾斜上面を構成する矩形部Ｉ１、底面Ｂの一部を構成する六角形部Ｂ１、及び尾根部を構成する六角形部Ｒ１から構成される。
【００２７】
パネルＰ２は、紙容器１の側面を構成する矩形部Ｓ２、傾斜上面を構成する三角形部Ｉ２ｂ、矩形部Ｉ１、Ｉ３とそれぞれ合わせられる三角形部Ｉ２ａ、Ｉ２ｃ、底面Ｂの一部を構成する三角形部Ｂ２ａ、Ｂ２ｂ、Ｂ２ｃ、及び横シール部を構成する矩形部Ｒ２ａ、Ｒ２ｂから構成される。
【００２８】
パネルＰ３は、紙容器１の側面を構成する矩形部Ｓ３、傾斜上面を構成する矩形部Ｉ３、底面Ｂの一部を構成する突片Ｂ０を有する矩形部Ｂ３、及び尾根部を構成する六角形部Ｒ３から構成される。なお、矩形部Ｉ３には、開口部３を構成するための円形の穴１０が空けてある。
【００２９】
パネルＰ４は、紙容器１の側面を構成する矩形部Ｓ４、傾斜上面を構成する三角形部Ｉ４ｂ、矩形部Ｉ３、Ｉ１とそれぞれ合わせられる三角形部Ｉ４ａ、Ｉ４ｃ、底面Ｂの一部を構成する三角形部Ｂ４ａ、Ｂ４ｂ、Ｂ４ｃ、及び横シール部を構成する矩形部Ｒ４ａ、Ｒ４ｂから構成される。
【００３０】
パネルＰ５は、紙容器１の側面を構成する矩形部Ｓ５、傾斜上面を構成する矩形部Ｉ５、底面Ｂの一部を構成する矩形部Ｂ５、及び尾根部を構成する矩形部Ｒ５から構成される。なお、パネルＰ５は、縦シール部を構成し、パネルＰ１と熱融着される。
【００３１】
なお、底面Ｂは、六角形部Ｂ１、矩形部Ｂ３、Ｂ５、三角形部Ｂ２ａ、Ｂ２ｂ、Ｂ２ｃ、Ｂ４ａ、Ｂ４ｂ、Ｂ４ｃ、及び突片Ｂ０によって形成される。また、紙容器１を形成するとき、符号ｍは山折り、符号ｖは谷折りにする罫線を示している。
【００３２】
包材Ｐから、紙容器１を形成する方法を説明する。包材Ｐにおいて、パネルＰ１とパネルＰ５とを熱融着して、包材Ｐを筒状に成形し、三角形部Ｉ２ｂ、Ｉ４ｂを筒状の中央に向けて押し込み、六角形部Ｒ１と矩形部Ｒ２ａ、Ｒ４ｂとを、また、六角形部Ｒ３と矩形部Ｒ４ａ、Ｒ２ｂとをそれぞれ合わせて熱融着することによって、紙容器１の上壁を形成することができる。このとき、矩形部Ｉ１と三角形部Ｉ２ａ、Ｉ４ｃとによって、また、矩形部Ｉ３と三角形部Ｉ４ａ、Ｉ２ｃとによって、それぞれ耳片が形成されるとともに、六角形部Ｒ１と六角形部Ｒ３とによって、尾根部Ｒが形成される。
【００３３】
一方、三角形部Ｂ２ｂ、Ｂ４ｂを内側に向けて折り込み、三角形部Ｂ２ｂと三角形部Ｂ２ａ、Ｂ２ｃとを、また、三角形部Ｂ４ｂと三角形部Ｂ４ａ、Ｂ４ｃとを合わせ、かつパネルＰ１と突片Ｂ０とを合わせて熱融着することによって、紙容器１の底壁を形成することができる。このとき、六角形部Ｂ１と三角形部Ｂ２ａ、Ｂ４ｃとが、矩形部Ｂ３と三角形部Ｂ４ａ、Ｂ２ｃとが、三角形部Ｂ２ｂと三角形部Ｂ２ａ、Ｂ２ｃとが、三角形部Ｂ４ｂと三角形部Ｂ４ａ、Ｂ４ｃとが、パネルＰ１と突片Ｂ０とがそれぞれ熱融着される。
【００３４】
なお、矩形部Ｉ３の所定位置には、内容物の注出口２としての円形の穴１０が設けてあり、樹脂などで成形された注出口２を紙容器１に熱融着させる。また、未使用時において、注出口２内には、一体成形されたシール部を備える。紙容器１を組み立てる所定の段階にて濃縮飲料を紙容器１内に充填する。
【００３５】
この紙容器１により、濃縮飲料を注ぎ出す方法について説明する。最初に、不図示の外蓋を回転させて、外蓋を紙容器１から分離させ、注出口２と一体成形された引掛部を有する注出口内部にある内蓋を指に引っ掛けて分離することにより注出口２を形成する。次に、取付部８の内周にある雌ネジ１６ｂを注出口２の外周にある雄ネジ１６ａと係合させ、ノズル４を固定する。そして、ノズル４にある所望の切断誘導部７をはさみなどで切断して、所望の大きさの開口３を形成させる（図４（ａ）参照）。そして、ノズル４より濃縮飲料を注ぎ出す。注出後には、開口３にキャップ５を嵌合させ、開口３を覆うことで、キャップ５がノズル本体１２より外れにくくなる（図４（ｂ）参照）。詳しくは、嵌合部１４に被嵌合部１５を嵌め付けることにより、キャップ５がノズル本体１２に固定される。再び、濃縮飲料を注出するときは、キャップ５にあるつまみ９を摘んでキャップ５をノズル本体１２から外す。
【００３６】
図５は、ノズル４の他の構成を示した例である。図５（ａ）のノズル４Ａは、本体部１３Ａに対し、凸型に成形させた切断誘導部７Ａを備えたノズル４Ａであり、図５（ｂ）のノズル４Ｂは、紙容器内の内容物の色とは別色でかつ、本体部１３Ｂと区別できる色に着色させた切断誘導部７Ｂを備えたノズル４Ｂである。なお、注出口２及び取付部８取付方法はネジに限定されるものではない。また、連結部６の位置も図２（ａ）に示した位置に限定しない。更に、キャップ５の形状は、開口３を覆うことができる形状であれば特に限定しない。
【００３７】
加えて、図６のように、取付部８Ｃに隣接している本体部１３Ｃを除いた本体部１３Ｃを、取付部８Ｃに対して傾斜させた切断誘導部７Ｃ及び本体部１３Ｃを構成するようにしてもよい。この場合、切断誘導部７Ｃを切断したときに形成される斜切りの切り口の外周で尖った部分が下となるように取付部８Ｃを注出口２にネジ付けるのではなく嵌め付けるようにするとよい。このように構造に形成することで、液垂れ防止可能なより一層注出しやすい構造に形成できる。
【００３８】
以上詳述したように、この発明の紙容器（容器）１は、注出口２を備え、注出口２に着脱自在に取り付けられる、先端に開口３を形成しうる錘状のノズル４を備え、開口３の断面積を大きくするべく、ノズル４を輪切りにするための目安となる切断誘導部７をノズル４の外周に備える。また、切断誘導部７を複数設け、更に、開口３を覆うキャップ５を備え、キャップ５とノズル４を連結する連結部６を備える。或いは、ノズル４の先端にある開口３が斜切りに形成される紙容器１であってもよい。
【産業上の利用可能性】
【００３９】
本発明は、内容物を収容可能なすべての容器に適用しうる。
【符号の説明】
【００４０】
１    紙容器（容器）
２    注出口
３、３Ｃ    開口
４、４Ａ、４Ｂ、４Ｃ    ノズル
５    キャップ
６    連結部
７、７Ａ、７Ｂ、７Ｃ    切断誘導部
８    取付部
９    つまみ
１０    穴
１１    係合補助部
１２    ノズル本体
１２ａ    先端
１２ｂ    後端
１３、１３Ａ、１３Ｂ、１３Ｃ    本体部
１４    嵌合部
１５    被嵌合部
１６ａ    雄ネジ
１６ｂ    雌ネジ
Ｂ    底部
Ｂ０    突片
Ｒ    尾根部
Ｐ    包材
Ｐ１、Ｐ２、Ｐ３、Ｐ４、Ｐ５    パネル
Ｒ２ａ、Ｒ２ｂ、Ｒ４ａ、Ｒ４ｂ、Ｒ５、Ｉ１、Ｉ３、Ｉ５、Ｓ１、Ｓ２、Ｓ３、Ｓ４、Ｓ５、Ｂ０、Ｂ３、Ｂ５    矩形部
Ｉ２ａ、Ｉ２ｂ、Ｉ２ｃ、Ｉ４ａ、Ｉ４ｂ、Ｉ４ｃ、Ｂ２ａ、Ｂ２ｂ、Ｂ２ｃ、Ｂ４ａ、Ｂ４ｂ、Ｂ４ｃ    三角形部
Ｒ１、Ｒ３、Ｂ１    六角形部
ｍ    山折り
ｖ    谷折り
【図１】
0005913779.tif 000002
【図２】
0005913779.tif 000003
【図３】
0005913779.tif 000004
【図４】
0005913779.tif 000005
【図５】
0005913779.tif 000006
【図６】
0005913779.tif 000007
【図７】
0005913779.tif 000008